(57)【要約】【課題】  爪部に充分な強度や剛性を持たせられないような場合であっても、勘合時の爪部の逃げを防止し、合わせ品質の向上を図り得るようにする。【解決手段】  コンソール本体２の裏面部から突設された爪部４を、カバー部品３の裏面部に設けられた爪勘合部５に勘合させる部品間面合わせ部構造であって、カバー部品３の爪勘合部５に、爪部４を勘合方向へ押付ける勘合方向押付部１１を設けるようにしている。【選択図】        図１
2006342918.tif 000002
【特許請求の範囲】
【請求項１】
一方の部品の裏面部から突設された爪部を、他方の部品の裏面部に設けられた爪勘合部に勘合させる部品間面合わせ部構造において、
前記他方の部品の爪勘合部に、爪部を勘合方向へ押付ける勘合方向押付部を設けたことを特徴とする部品間面合わせ部構造。
【発明の詳細な説明】
【技術分野】
【０００１】
この発明は、部品間面合わせ部構造に関するものである。
【背景技術】
【０００２】
自動車などの車両には、車室内に樹脂製の部品が各種設けられている。このような部品には、相互間に面合わせ部を有するものが存在する（例えば、特許文献１参照）。
【０００３】
従来、部品間の面合わせ部構造は、一方の部品の裏面部から突設された爪部を、他方の部品の裏面部に設けられた爪勘合部に勘合させるようにしていた。
【０００４】
例えば、図４に示すような、運転席と助手席との間に設けられるセンターコンソール１の場合、車体に対する取付上の関係などから、図５に示すように、コンソール本体２の後部が、別部品のカバー部品３とされている。
【０００５】
そして、図６に示すようなコンソール本体２側面の裏面部（内側面）から面方向の後方へ向けて突設された爪部４を、図７、図８に示すようなカバー部品３側面の裏面部（内側面）に設けられた爪勘合部５に対して、図９に示すように勘合させるようにしている。なお、爪勘合部５の上下部には、図８に示すように、コンソール本体２側面を面直方向に規制するための面直方向規制用リブ６が、対を成すように設けられている。
【特許文献１】特開平０５−１４６６号公報
【発明の開示】
【発明が解決しようとする課題】
【０００６】
しかしながら、このような部品間の面合わせ部構造では、製造上の問題、例えば、金型成立上の問題などから、爪部４に充分な強度や剛性を持たせたり、補強リブを設定したりすることができない場合が多く、爪部４の剛性不足により、勘合時に爪部４の逃げが発生するため、勘合力が不足し、グラ付きや、隙・面差のバラ付きなどが発生して、両部品間の合わせ品質を低下させる原因となっていた。
【課題を解決するための手段】
【０００７】
上記課題を解決するために、請求項１に記載された発明では、一方の部品の裏面部から突設された爪部を、他方の部品の裏面部に設けられた爪勘合部に勘合させる部品間面合わせ部構造において、前記他方の部品の爪勘合部に、爪部を勘合方向へ押付ける勘合方向押付部を設けた部品間面合わせ部構造を特徴としている。
【発明の効果】
【０００８】
請求項１の発明によれば、他方の部品の爪勘合部に、爪部を勘合方向へ押付ける勘合方向押付部を設けたことにより、爪部に充分な強度や剛性を持たせられないような場合であっても、勘合方向押付部によって勘合時の爪部の逃げを防止することができるので、合わせ品質の向上を図ることが可能となる。
【発明を実施するための最良の形態】
【０００９】
爪部に充分な強度や剛性を持たせられないような場合であっても、勘合時の爪部の逃げを防止し、合わせ品質の向上を図り得るようにするという目的を、他方の部品の爪勘合部に、爪部を勘合方向へ押付ける勘合方向押付部を設ける、という手段で実現した。
【実施例】
【００１０】
以下、本発明を具体化した実施例について、図示例と共に説明する。
【００１１】
図１〜図３は、この発明の実施例を示すものである。なお、この実施例では、センターコンソール１の場合について説明するが、センターコンソール１に限るものではない。ここで、センターコンソール１の構成については、基本的に図４のものとほぼ同様なので、必要に応じてこの図面を参照すると共に、これらに対する記載を以てこの実施例の説明とする。
【００１２】
まず、この実施例の基本的な構成について説明すると、一方の部品（コンソール本体２）の側面の裏面部（内側面）から（面方向の後方へ向けて）突設された爪部４を、他方の部品（カバー部品３）の側面の裏面部（内側面）に設けられた爪勘合部５に勘合させるように構成する。
【００１３】
ここで、コンソール本体２の後縁部には、カバー部品３の前縁部を面合わせ用の段差部７が設けられており、爪部４は、この段差部７から延設されている。爪部４は、カバー部品３の対応する裏面部とほぼ平行に延びる突片部４ａと、この突片部４ａの先端に形成された係止部４ｂとを備えている。この係止部４ｂは、先端側へ進むに従いカバー部品３の裏面部から離れる傾斜面４ｃと、この傾斜面４ｃの後端部に設けられてカバー部品３の裏面部のほぼ面直方向へ向けられたストッパ面４ｄとを備えている。
【００１４】
また、爪勘合部５は、勘合時に係止部４ｂのストッパ面４ｄが係止する係止面５ａと、勘合前に爪勘合部５を乗り越えるように係止部４ｂの傾斜面４ｃをガイドするガイドテーパ面５ｂとを備えている。係止面５ａは、コンソール本体２と反対側に設けられ、ガイドテーパ面５ｂはコンソール本体２の側に設けられる。
【００１５】
なお、爪勘合部５の両側部（上下部）には、コンソール本体２の側面を面直方向に規制するための面直方向規制用リブ６が、対を成すように設けられている。
【００１６】
この実施例のものでは、他方の部品（カバー部品３）の爪勘合部５に、爪部４を勘合方向（この場合には面直方向）へ押付ける勘合方向押付部１１を設ける。この勘合方向押付部１１は、例えば、面直方向規制用リブ６間に架設するようにする。爪勘合部５に対し、勘合方向押付部１１は、所要の間隙を有して設けられる。この間隙は、例えば、爪部４の突片部４ａの最大肉厚部分（ストッパ面４ｄ）とほぼ等しいものとする。勘合方向押付部１１には、勘合前に係止部４ｂをガイドするガイドテーパ面１１ａをコンソール本体２の側に備えている。
【００１７】
次に、この実施例の作用について説明する。
【００１８】
コンソール本体２の後部にカバー部品３を取付ける場合、コンソール本体２後縁部の面合わせ用の段差部７に対しカバー部品３の前縁部を係止させ、カバー部品３前縁部の面直方向規制用リブ６でコンソール本体２の側面を面直方向に規制させると共に、コンソール本体２の側面の裏面部から面方向の後方へ向けて突設された爪部４を、カバー部品３の側面の裏面部に設けられた爪勘合部５に対して、勘合させるようにする。これにより、コンソール本体２に対してカバー部品３が面合わせした状態で取付けられる。
【００１９】
この際、この実施例では、他方の部品の爪勘合部５に、爪部４を勘合方向へ押付ける勘合方向押付部１１を設けたことにより、爪部４に充分な強度や剛性を持たせられないような場合であっても、勘合方向押付部１１によって勘合時の爪部４の逃げを防止することができるので、グラ付きや、隙・面差のバラ付きを無くして、合わせ品質の向上を図ることが可能となる。
【００２０】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００２１】
【図１】本発明の実施例にかかる面合わせ部構造の部分拡大斜視図である。
【図２】図１のカバー部品の部分拡大斜視図である。
【図３】図１の面合わせ部構造の横断面図である。
【図４】従来例の説明に用いたセンターコンソールの斜視図である。
【図５】図４の面合わせ部構造の部分拡大斜視図である。
【図６】図５のコンソール本体の斜視図である。
【図７】図５のカバー部品の斜視図である。
【図８】図７のカバー部品の部分拡大斜視図である。
【図９】図５の面合わせ部構造の横断面図である。
【符号の説明】
【００２２】
２    コンソール本体（一方の部品）
３    カバー部品（他方の部品）
４    爪部
５    爪勘合部
１１  勘合方向押付部
【図１】
2006342918.tif 000003
【図２】
2006342918.tif 000004
【図３】
2006342918.tif 000005
【図４】
2006342918.tif 000006
【図５】
2006342918.tif 000007
【図６】
2006342918.tif 000008
【図７】
2006342918.tif 000009
【図８】
2006342918.tif 000010
【図９】
2006342918.tif 000011